(57)【特許請求の範囲】
【請求項１】
デジタルテレビ又はデジタルテレビ−セットトップボックスに組み込み可能で、前記デジタルテレビと前記デジタルテレビ−セットトップボックス相互に共通する回路部品を搭載する第１の基板と、前記デジタルテレビと前記デジタルテレビ−セットトップボックス各々の用途に応じた回路部品を搭載する第２の基板と、前記第１、第２の基板相互を電気的に接続するＬアングルコネクタ又はフラットワイヤとからなる基板配線体において、
前記第１の基板に、チューナと、このチューナで受信した信号をデジタル処理するデジタル処理回路とが備えられ、前記第１の基板の一側縁部に第１の接続部が設けられ、前記第２の基板の一側縁部に第２の接続部が設けられていて、
前記デジタルテレビには、前記第１、第２の接続部相互が前記Ｌアングルコネクタにより接続されるように前記第１の基板を前記第２の基板上に立設させて組み込まれ、前記デジタルテレビ−セットトップボックスには、前記第１，第２の接続部相互が前記フラットワイヤにより接続されるように前記第１，第２の基板を同一平面上に配置して組み込まれることを特徴とする基板配線体。
【請求項２】
デジタルテレビ又はデジタルテレビ−セットトップボックスに組み込み可能な基板配線体であって、
前記デジタルテレビと前記デジタルテレビ−セットトップボックス相互に共通する回路部品を搭載し、かつ一側縁部に設けられた第１の接続部を有する第１の基板と、
前記デジタルテレビ、又は、前記デジタルテレビ−セットトップボックス何れかの用途に応じた回路部品を搭載し、かつ一側縁部に設けられた第２の接続部を有する第２の基板と、
前記第１の接続部と前記第２の接続部とを接続して、前記第１及び第２の基板相互間を電気的に接続する接続手段と、
を備えることを特徴とする基板配線体。
【請求項３】
前記第１の基板は、チューナ及び前記チューナで受信した信号をデジタル処理するデジタル処理回路を有することを特徴とする、請求項２に記載の基板配線体。
【請求項４】
前記デジタルテレビには、前記第１、第２の接続部が相互に近接するように前記第１、第２の基板を互いに略直角に配置して組み込まれ、前記デジタルテレビ−セットトップボックスには、前記第１、第２の接続部が相互に近接するように第１、第２の基板を同一平面上に配置して組み込まれることを特徴とする請求項３に記載の基板配線体。
【発明の詳細な説明】
【０００１】
【発明の属する技術分野】
本発明は、デジタルテレビやデジタルテレビ−セットトップボックス等の受信装置に組み込まれる基板配線体に関し、特に、所定の回路部品を搭載した複数の基板相互を電気的に接続してなる基板配線体に関する。
【０００２】
【従来の技術】
近年、デジタルテレビやデジタルテレビ−セットトップボックスといった衛星放送受信機能を内蔵した受信装置がめざましく普及してきている。これら受信装置のうち、後者では受信機能や受信信号処理機能や映像／音声信号出力機能を備え、前者ではそれら機能に加え映像表示機能や音声出力機能を備えている。つまり、これら受信装置は、互いに共通する機能を持ち合わせながら、使用される用途が異なっている。
【０００３】
一方、上記した諸機能を司る回路部品は複数の基板に適宜搭載されるが、実際にそれら基板を含む基板配線体の設計は、各受信装置毎に最適な回路部品とそのレイアウトを考慮して、各々の受信装置で単独になされるのが一般的であった。しかし、このような設計手法では、全体として多大な設計工数が強いられることから、設計効率は決してよいとはいえないし、また、基板そのものは各受信装置毎に専用となることから、全体として部品点数が多くなり、しかも、ある受信装置の基板を単純に別の受信装置に組み込むことは殆ど不可能となる。仮に、製造コストを抑える観点から、用途の異なる複数の受信装置が同一の製造ラインで組み立てられる場合、誤って別の基板が組み込まれるという誤挿入のおそれが生じ、その誤挿入を防止するための特別な部品管理も必要となる。
【０００４】
このような問題に対して、例えば、特開２００１−８５８７４号公報によれば、仕様の異なる受信装置に組み込まれる基板配線体において、受信装置相互に共通する主回路部品を主基板に搭載し、相互に異なる補助回路部品を補助基板に搭載し、これら基板をケーブル等の接続手段により電気的に接続して基板配線体を構成するようになっている。つまり、仕様の異なる受信装置に対して、主基板を共用化することにより、全体としての設計効率の向上や部品点数の削減を図っている。
【０００５】
【発明が解決しようとする課題】
しかし、このような構成の基板配線体は、同一の用途で仕様が異なる受信装置に対しては一応有効であるが、用途が異なる受信装置に対しては、上記した問題は全く解消できない。
【０００６】
そこで、本発明は、上記の問題に鑑みてなされたものであり、デジタルテレビやデジタルテレビ−セットトップボックス等のように用途が異なる受信装置に組み込まれ、全体としての設計効率の向上や部品点数の削減を図った基板配線体を提供することを目的とするものである。
【０００７】
【課題を解決するための手段】
上記目的を達成するため、本発明による基板配線体は、デジタルテレビ又はデジタルテレビ−セットトップボックスに組み込み可能で、デジタルテレビとデジタルテレビ−セットトップボックス相互に共通する回路部品を搭載する第１の基板と、デジタルテレビとデジタルテレビ−セットトップボックス各々の用途に応じた回路部品を搭載する第２の基板と、第１、第２の基板相互を電気的に接続するＬアングルコネクタ又はフラットワイヤとからなる基板配線体において、第１の基板に、チューナと、このチューナで受信した信号をデジタル処理するデジタル処理回路とが備えられ、第１の基板の一側縁部に第１の接続部が設けられ、第２の基板の一側縁部に第２の接続部が設けられていて、デジタルテレビには、第１、第２の接続部相互がＬアングルコネクタにより接続されるように第１の基板を第２の基板上に立設させて組み込まれ、デジタルテレビ−セットトップボックスには、第１、第２の接続部相互がフラットワイヤにより接続されるように第１、第２の基板を同一平面上に配置して組み込まれる。
【０００８】
また、用途が異なる複数の受信装置に組み込み可能で、受信装置相互に共通する回路部品を搭載する第１の基板と、受信装置各々の用途に応じた回路部品を搭載する第２の基板と、第１、第２の基板相互を電気的に接続する接続手段とからなる基板配線体において、第１の基板の一側縁部に設けられた第１の接続部と、第２の基板の一側縁部に設けられた第２の接続部とが、接続手段により接続されてもよい。
【０００９】
例えば、前記受信装置がデジタルテレビとデジタルテレビ−セットトップボックスであって、第１の基板に、チューナと、このチューナで受信した信号をデジタル処理するデジタル処理回路とが備えられている。
【００１０】
更に、一般には、デジタルテレビの外形は水平面に対する高さに余裕がある一方で、デジタルテレビ−セットトップボックスの外形はその高さに制約があることから、このようなデジタルテレビとデジタルテレビ−セットトップボックスに特有の外形を考慮して、デジタルテレビには、第１，第２の接続部が相互に近接するように第１、第２の基板を互いに略垂直に配置して組み込まれ、デジタルテレビ−セットトップボックスには、第１、第２の接続部が相互に近接するように第１、第２の接続部が相互に近接するように第１、第２の基板を同一平面上に配置して組み込まれるようになっている。
請求項２に係る基板配線体は、デジタルテレビ又はデジタルテレビ−セットトップボックスに組み込み可能な基板配線体であって、前記デジタルテレビと前記デジタルテレビ−セットトップボックス相互に共通する回路部品を搭載し、かつ一側縁部に設けられた第１の接続部を有する第１の基板と、前記デジタルテレビ、又は、前記デジタルテレビ−セットトップボックス何れかの用途に応じた回路部品を搭載し、かつ一側縁部に設けられた第２の接続部を有する第２の基板と、前記第１の接続部と前記第２の接続部とを接続して、前記第１及び第２の基板相互間を電気的に接続する接続手段と、を備えることを特徴とする。
請求項３に係る基板配線体は、請求項２に係る基板配線体において、前記第１の基板は、チューナ及び前記チューナで受信した信号をデジタル処理するデジタル処理回路を有することを特徴とする。
【００１１】
【発明の実施の形態】
以下に、本発明の実施形態について図面を参照しながら説明する。図１は本発明の基板配線体における回路部品の概略構成を表すブロック図を、図２は本発明の基板配線体の概略を表す平面図をそれぞれ示す。本実施形態では、基板配線体は、デジタルテレビ（以下、「ＤＴＶ」と記すことがある）、又は、デジタルテレビ−セットトップボックス（以下、「ＤＴＶ−ＳＴＢ」と記すことがある）に組み込まれるものであり、第１の基板１と、第２の基板２と、これら第１の基板１及び第２の基板２を相互に電気的に接続する接続配線体１１、１２、１３とからなっている。
【００１２】
第１の基板１は、一般にデジタルボードと呼ばれ、チューナ（ＴＵＮＥＲ）３と、このチューナ３で受信した信号をデジタル処理するデジタル処理回路４とが備えられ、このデジタル処理回路４は、ＮＴＳＣ  ＤＥＭ．（復調器）２１、ＮＴＳＣ／ＢＴＳＣ  ＤＥＣＯＤＥＲ２２、ＭＰＥＧ  ＥＮＣＯＤＥＲ／ＤＥＣＯＤＥＲ２３、ＳＤ  ＲＡＭ２４、ＭＥＭＯＲＹ２５、ＡＵＤＩＯ  Ｄ／Ａ  ＣＯＮＶＥＲＴＥＲ２６、ＶＩＤＥＯ  Ｄ／Ａ  ＣＯＮＶＥＲＴＥＲ２７等で構成されており、これら全体を制御するＣＰＵ２０も備えられている。なお、本実施形態では、第１の基板１として１００ｍｍ×１５０ｍｍ程度のサイズの６層ＰＣＢを採用している。
【００１３】
また、第１の基板１の一側縁部１ａには、接続配線体１１、１２、１３にそれぞれ接続される接続部５、６、７が設けられている。接続部５は、ＡＵＤＩＯ  Ｄ／Ａ  ＣＯＮＶＥＲＴＥＲ２６及びＶＩＤＥＯ  Ｄ／Ａ  ＣＯＮＶＥＲＴＥＲ２７に接続されており、これらＡＵＤＩＯ  Ｄ／Ａ  ＣＯＮＶＥＲＴＥＲ２６及びＶＩＤＥＯ  Ｄ／Ａ  ＣＯＮＶＥＲＴＥＲ２７からの出力を受ける。接続部６は上記した各回路部品に接続され、接続部７はＣＰＵ２０に接続されている。つまり、本実施形態では、第１の基板１は、ＤＴＶ、ＤＴＶ−ＳＴＢ相互に共通する回路部品を搭載しており、ＤＴＶとＤＴＶ−ＳＴＢとに共用されるコンパクトな基板となっている。
【００１４】
一方、第２の基板２は、ＤＴＶ、ＤＴＶ−ＳＴＢ各々の用途に応じた回路部品を搭載しており、ＤＴＶ、ＤＴＶ−ＳＴＢ各々に専用のものである。ＤＴＶ−ＳＴＢに組み込まれる場合、第２の基板２は、一般にアナログボードと呼ばれ、ＡＵＤＩＯ  ＤＲＩＶＥＲ２８、ＶＩＤＥＯ  ＤＲＩＶＥＲ２９、ＡＵＤＩＯ  ＤＲＩＶＥＲ２８及びＶＩＤＥＯ  ＤＲＩＶＥＲ２９に接続され外部に向けて映像／音声信号を出力するＡＶ出力端子３０、電力供給源であるＰＯＷＥＲ  ＳＵＰＰＬＹ３１、ユーザが操作するＦＲＯＮＴ  ＫＥＹ３２等が備えられている。ＤＴＶに組み込まれる場合は、第２の基板２は、一般にアナログＴＶメインボードと呼ばれ、更に、不図示の偏向回路や、別の基板に備えられることもあるが不図示のＣＲＴ回路等が備えられる。
【００１５】
また、第２の基板２の一側縁部２ａには、接続配線体１１、１２、１３にそれぞれ接続される接続部８、９、１０が設けられている。接続部８は、ＡＵＤＩＯ  ＤＲＩＶＥＲ２８及びＶＩＤＥＯ  ＤＲＩＶＥＲ２９に接続されており、第１の基板１のＡＵＤＩＯ  Ｄ／Ａ  ＣＯＮＶＥＲＴＥＲ２６及びＶＩＤＥＯ  Ｄ／Ａ  ＣＯＮＶＥＲＴＥＲ２７からの出力を接続部５及び接続配線体１１を介して受け、ＡＵＤＩＯ  ＤＲＩＶＥＲ２８及びＶＩＤＥＯ  ＤＲＩＶＥＲ２９に与える。接続部９は、ＰＯＷＥＲ  ＳＵＰＰＬＹ３１に接続されており、このＰＯＷＥＲ  ＳＵＰＰＬＹ３１から供給された電力を、接続配線体１２及び接続部６を介して第１の基板１の各回路部品に与える。接続部１０は、ＦＲＯＮＴ  ＫＥＹ３２に接続されており、このＦＲＯＮＴ  ＫＥＹ３２に入力されたユーザからの操作情報を、接続配線体１３及び接続部７を介して第１の基板１のＣＰＵ２０に与える。
【００１６】
なお、接続部５、６、７、及び、接続部８、９、１０をそれぞれ第１の基板１の一側縁部１ａ、及び、第２の基板２の一側縁部２ａに設けたのは、接続配線体１１、１２、１３との接続容易性を考慮してレイアウトしたものである。
【００１７】
次に、ＤＴＶやＤＴＶ−ＳＴＢに組み込まれた基板配線体の態様について説明する。図３はＤＴＶ−ＳＴＢに組み込まれた基板配線体の態様を表すＤＴＶ−ＳＴＢの背面透視図を、図４はＤＴＶに組み込まれた基板配線体の態様を表すＤＴＶの背面透視図をそれぞれ示す。なお、図中で図１、２と同一の名称の部分には同じ符号を付している。
【００１８】
先ず、ＤＴＶ−ＳＴＢに組み込まれた場合、図３に示されるように、第１の基板１の接続部５、６、７と第２の基板２の接続部８、９、１０とがそれぞれ対応するように近接させて、第１の基板１と第２の基板２を同一平面上に配置し、接続配線体１１、１２、１３によりそれぞれ接続部５、６、７と接続部８、９、１０とが電気的に接続されている。ここで、接続配線体１１、１２、１３としては、一般的なフラットワイヤが適用される。従って、基板配線体そのものをフラット状にできるため、ＤＴＶ−ＳＴＢのように外形の高さＨに制約のあるものには有効である。
【００１９】
一方、ＤＴＶに組み込まれた場合、図４に示されるように、第１の基板１の接続部５、６、７と第２の基板２の接続部８、９、１０とがそれぞれ対応するように近接させて、第１の基板１を第２の基板２上に立設し、接続配線体１１、１２、１３によりそれぞれ接続部５、６、７と接続部８、９、１０とが電気的に接続されている。ここで、接続配線体１１、１２、１３としては、接続部５、６、７と接続部８、９、１０各々に向けて突出する接続ピンを有するＬアングルコネクタが適用される。なお、第１の基板１と第２の基板２とは、半田や接着剤によって固着され、この態様が維持されている。従って、ＤＴＶのように外形の高さＨ’に余裕があるものには有効であり、しかも、基板配線体そのものの幅を小さくできるため、ＤＴＶ内部にはその他部品を備える余地ができ自由度が増すという付帯効果もある。また、本実施形態における第１の基板１の回路構成は、プログレシブ対応にもなっているので、簡単にプログレシブデジタルテレビにもなり得る。
【００２０】
なお、本発明は上記の実施形態に限定されず、本発明の趣旨を逸脱しない範囲で、種々の変更が可能である。例えば、用途の異なる受信装置として、ＤＴＶとＤＴＶ−ＳＴＢ以外のものであっても構わない。
【００２１】
【発明の効果】
以上説明した通り本発明によれば、デジタルテレビ又はデジタルテレビ−セットトップボックスに組み込み可能で、デジタルテレビとデジタルテレビ−セットトップボックス相互に共通する回路部品を搭載する第１の基板と、デジタルテレビとデジタルテレビ−セットトップボックス各々の用途に応じた回路部品を搭載する第２の基板と、第１、第２の基板相互を電気的に接続するＬアングルコネクタ又はフラットワイヤとからなる基板配線体において、第１の基板に、チューナと、このチューナで受信した信号をデジタル処理するデジタル処理回路とが備えられ、第１の基板の一側縁部に第１の接続部が設けられ、第２の基板の一側縁部に第２の接続部が設けられていて、デジタルテレビには、第１、第２の接続部相互がＬアングルコネクタにより接続されるように第１の基板を第２の基板上に立設させて組み込まれ、デジタルテレビ−セットトップボックスには、第１、第２の接続部相互がフラットワイヤにより接続されるように第１、第２の基板を同一平面上に配置して組み込まれる。従って、デジタルテレビやデジタルテレビ−セットトップボックスのように用途が異なる受信装置であっても、第１の基板を両者に共用できるので、全体としての設計効率の向上や部品点数の削減を達成でき、コストダウンが可能となる。
【００２２】
また、用途が異なる複数の受信装置に組み込み可能で、受信装置相互に共通する回路部品を搭載する第１の基板と、受信装置各々の用途に応じた回路部品を搭載する第２の基板と、第１、第２の基板相互を電気的に接続する接続手段とからなる基板配線体において、第１の基板の一側縁部に設けられた第１の接続部と、第２の基板の一側縁部に設けられた第２の接続部とが、接続手段により接続されると、用途が異なる受信装置であっても、第１の基板を両者に共用化できるので、全体としての設計効率の向上や部品点数の削減を達成でき、コストダウンが可能となる。
【００２３】
例えば、前記受信装置がデジタルテレビとデジタルテレビ−セットトップボックスであって、第１の基板に、チューナと、このチューナで受信した信号をデジタル処理するデジタル処理回路とが備えられていると、デジタルテレビとデジタルテレビ−セットトップボックスのように用途が異なっていても有効である。
【００２４】
更に、デジタルテレビには、第１、第２の接続部が相互に近接するように第１、第２の基板を互いに略直角に配置して組み込まれ、デジタルテレビ−セットトップボックスには、第１、第２の接続部が相互に近接するように第１、第２の基板を同一平面上に配置して組み込まれるようになっているので、デジタルテレビとデジタルテレビ−セットトップボックスに特有の外形に応じた態様を取ることが可能である。
【図面の簡単な説明】
【図１】本発明の基板配線体における回路部品の概略構成を表すブロック図である。
【図２】本発明の基板配線体の概略を表す平面図である。
【図３】デジタルテレビ−セットトップボックスに組み込まれた基板配線体の態様を表すデジタルテレビ−セットトップボックスの背面透視図である。
【図４】デジタルテレビに組み込まれた基板配線体の態様を表すデジタルテレビの背面透視図である。
【符号の説明】
１    第１の基板
２    第２の基板
３    チューナ
４    デジタル処理回路
５、６、７    第１の基板１の接続部
８、９、１０    第２の基板２の接続部
１１、１２、１３    接続配線体
【図１】
0003632915.tif 000002
【図２】
0003632915.tif 000003
【図３】
0003632915.tif 000004
【図４】
0003632915.tif 000005